(57)【特許請求の範囲】
【請求項１】
ベース部材と、このベース部材から立設された多数のピンと、を有するピン構造物を載置台で支持するピン構造物の支持構造であって、
前記載置台は、
前記ベース部材が上になるように前記ピンの先端を下に向けて当該ピンが床から離れた状態で当該ベース部材を載置して支持し、
前記ベース部材を上端面に載置して支持する板状をなした第１の支持部材と、
この第１の支持部材の側端面に一方の側端面が連結され前記ベース部材を上端面に載置して支持する板状をなした第２の支持部材と、
前記第１の支持部材と前記第２の支持部材との側端面連結部に形成され、前記隣接する支持部材同士が交差する角度を自在に調整可能な曲折部と、を有し、
前記第１の支持部材と前記第２の支持部材が前記多数のピンの間に挿入して配設されていること、
を特徴とするピン構造物の支持構造。
【請求項２】
前記載置台は、
前記第２の支持部材の他方の側端面に一方の側端面が連結され前記ベース部材を上端面に載置して支持する板状をなした第３の支持部材と、
この第３の支持部材の他方の側端面に一方の側端面が連結され前記ベース部材を上端面に載置して支持する板状をなした第４の支持部材と、
前記第２の支持部材と前記第３の支持部材との側端面連結部に形成された曲折部と、
前記第３の支持部材と前記第４の支持部材との側端面連結部に形成された曲折部と、
を有し、
前記第３の支持部材、および前記第４の支持部材が前記多数のピンの間に干渉しないように挿入して配設されていること、
を特徴とする請求項１に記載のピン構造物の支持構造。
【請求項３】
前記第１の支持部材、前記第２の支持部材、前記第３の支持部材、および前記第４の支持部材が平面視でＭ字状、または四角形をなして配設されていること、
を特徴とする請求項２に記載のピン構造物の支持構造。
【請求項４】
前記第１の支持部材および前記第２の支持部材の一方の側端面に連結され前記ベース部材を上端面に載置して支持する板状をなした第３の支持部材と、
前記第１の支持部材、前記第２の支持部材、および第３の支持部材が放射状に連結された側端面連結部に形成された曲折部と、を有し、
前記第３の支持部材が前記多数のピンの間に挿入して配設されていること、
を特徴とする請求項１に記載のピン構造物の支持構造。
【請求項５】
前記ピン構造物は、金型に使用され、
前記ピンは、当該金型からワークを突き出すエジェクタピンであること、
を特徴とする請求項１から請求項４のいずれか１項に記載のピン構造物の支持構造。
【請求項６】
前記ピン構造物は、前記ベース部材と前記支持部材の間に配設された可撓性部材からなる緩衝部材、または当該ベース部材および支持部材よりも摩擦係数が高いずれ防止部材を介在して載置されていること、
を特徴とする請求項１から請求項５のいずれか１項に記載のピン構造物の支持構造。
【請求項７】
ベース部材と、このベース部材から立設された多数のピンと、を有するピン構造物を載置台で支持するピン構造物の支持方法であって、
前記載置台は、
前記ベース部材が上になるように前記ピンの先端を下に向けて当該ピンが床から離れた状態で当該ベース部材を載置して支持し、
前記ベース部材を上端面に載置して支持する板状をなした第１の支持部材と、
この第１の支持部材の側端面に一方の側端面が連結され前記ベース部材を上端面に載置して支持する板状をなした第２の支持部材と、
前記第１の支持部材と前記第２の支持部材との側端面連結部に形成され、前記隣接する支持部材同士が交差する角度を自在に調整可能な曲折部と、を有し、
前記第１の支持部材と前記第２の支持部材が前記多数のピンの間に挿入して配設され、かつ当該第１の支持部材および当該第２の支持部材の少なくとも一方が前記ピンの外周部に接していること、
を特徴とするピン構造物の支持方法。
【発明の詳細な説明】
【技術分野】
【０００１】
本発明は、ピン構造物の支持構造、および支持方法に係り、特に、多数のピンがベース部材から立設されたピン構造物を載置台で支持する支持構造、および支持方法に関する。
【背景技術】
【０００２】
一般に、鋳造金型、ダイキャスト金型、樹脂成形金型、およびプレス金型では、金型から成形品を離型して取り出すために、エジェクタピンを金型の成形面から成形品に向けて突き出す構造が採用される。このような金型は、製品を多数個まとめて成形する多数個取りが採用されることも多いため、多数のエジェクタピンを備えている。エジェクタピンは、エジェクタプレートから立設するように配設され、エジェクタプレートを昇降させて成形面に突き出すようになっている。
【０００３】
エジェクタピンは、成形される製品形状に合わせて突き出したときに製品が変形しないようにバランスよく荷重が均等になるように配設されるため、エジェクタプレートに多数が不規則に配設され、長さも製品の位置によって異なる場合がある（例えば、特許文献１，２）。
【０００４】
また、製品（成形品）の型番に応じて、エジェクタプレートの大きさやエジェクタピンの配置が異なるため、エジェクタピンがエジェクタプレートに固定された状態で、エジェクタプレートごと交換して金型に装着できるように複数種類のピン構造物（エジェクタピンとエジェクタプレートからなるユニット）が保管されている。
【０００５】
エジェクタピンは、金型に形成されたガイド孔を摺動して突き出され、ピン径が小さく長尺で高精度に位置決めされているため、運搬中に他の部材に衝突したり、保管中に倒したりして変形しないように繊細な取り扱いが要求される。
【０００６】
従来、エジェクタピンを備えたピン構造物は、例えば、エジェクタプレートを下にしてエジェクタピンが上を向くようにしてエジェクタプレートを枕木に載せて保管したり、エジェクタピンが下を向くようにして鉄パイプを四隅のエジェクタピンに被せて四隅の鉄パイプを支柱にしてエジェクタプレートを支持して保管したりしていた。
【先行技術文献】
【特許文献】
【０００７】
【特許文献１】特許第２８２５３７５号公報（図３、図４）
【特許文献２】特開平７−３２３４４６号公報（図１〜図３）
【発明の概要】
【発明が解決しようとする課題】
【０００８】
しかしながら、エジェクタピンが上を向くようにして保管するとエジェクタピンに他の部材や作業者が衝突してエジェクタピンを変形させてしまうという問題があった。
一方、エジェクタピンが下を向くようにして鉄パイプで四隅を支持すると安定性に欠けるため、他の部材が衝突したときに鉄パイプが倒れてエジェクタピンを変形させてしまうという問題があった。また、多種多様なピン構造物に合わせて個別に特別仕様の支持治具を製作するのは、不合理である。
【０００９】
本発明は、このような背景に鑑みてなされたものであり、多数のピンが不規則に配設されたピン構造物のピンが下を向いた状態で多数のピンに干渉しないようにしかも安定して支持することができるピン構造物の支持構造、および支持方法を提供することを課題とする。
【課題を解決するための手段】
【００１０】
前記課題を解決するため、請求項１に係る発明は、ベース部材と、このベース部材から立設された多数のピンと、を有するピン構造物を支持するピン構造物の支持構造であって、前記ベース部材が上になるように前記ピンの先端を下に向けて当該ピンが床から離れた状態で当該ベース部材を載置して支持し、前記ベース部材を上端面に載置して支持する板状をなした第１の支持部材と、この第１の支持部材の側端面に一方の側端面が連結され前記ベース部材を上端面に載置して支持する板状をなした第２の支持部材と、前記第１の支持部材と前記第２の支持部材との側端面連結部に形成され、前記隣接する支持部材同士が交差する角度を自在に調整可能な曲折部と、を有し、前記第１の支持部材と前記第２の支持部材が前記多数のピンの間に挿入して配設されていること、を特徴とする。
【００１１】
かかる構成によれば、少なくとも第１の支持部材、および第１の支持部材に対して曲折部で曲折して連結された第２の支持部材のそれぞれの上端面でベース部材を支持することで、ピン構造物の重心を囲むように第１の支持部材および第２の支持部材を配設することができる。そして、第１の支持部材および第２の支持部材が区画する広い領域でピン構造物を支持することができるため、ピン構造物を安定して支持することができる。
【００１２】
また、第１の支持部材および第２の支持部材を備えた載置台を多数のピンの間に挿入して配設することで、ピンがストッパになって支持部材が移動したり、倒れたりすることがないので、ピンの損傷を防止するとともに支持部材が区画する広い支持領域を安定して維持することができる。
【００１３】
また、前記隣接する支持部材同士が交差する角度を自在に調整可能な曲折部を備えたことで、多数のピンが不規則に配設されたピン構造体に合わせて、ピンに干渉しないように曲折部の曲折角度を調整することができるため、位置合わせの自由度を向上させ、大きさやピンの配置が異なる種々のピン構造物に柔軟に対応することができる。
また、本発明は、ピン構造物を支持しないときには曲折部で折り畳んで収納し、ピン構造物を支持するときにのみ広げて使用することができるため、収納スペースの削減に好適に寄与する。
【００１４】
このようにして、本発明は、多数のピンが不規則に配設されたピン構造体のピンが下を向いた状態で多数のピンに干渉しないように第１の支持部材と第２の支持部材を好適な位置に挿入することができ、しかも載置台の位置ずれや倒れを抑制してピンの損傷を防止するとともに、第１の支持部材と第２の支持部材が区画する広い支持領域を確保して安定して支持することができる。
【００１５】
請求項２に係る発明は、請求項１に記載の請求項１に記載のピン構造物の支持構造であって、前記第２の支持部材の他方の側端面に一方の側端面が連結され前記ベース部材を上端面に載置して支持する板状をなした第３の支持部材と、この第３の支持部材の他方の側端面に一方の側端面が連結され前記ベース部材を上端面に載置して支持する板状をなした第４の支持部材と、前記第２の支持部材と前記第３の支持部材との側端面連結部に形成された曲折部と、前記第３の支持部材と前記第４の支持部材との側端面連結部に形成された曲折部と、を有し、前記第３の支持部材、および前記第４の支持部材が前記多数のピンの間に干渉しないように挿入して配設されていること、を特徴とする。
【００１６】
かかる構成によれば、第１の支持部材と第２の支持部材に加えて、さらに第３の支持部材と第４の支持部材を備えたことで、ピン構造物の形状や重心位置に好適に対応することができるため、ピン構造物をより安定して支持することができる。
【００１７】
請求項３に係る発明は、請求項２に記載のピン構造物の支持構造であって、前記第１の支持部材、前記第２の支持部材、前記第３の支持部材、および前記第４の支持部材（第１〜第４の支持部材）が平面視でＭ字状、または四角形をなして配設されていること、を特徴とする。
【００１８】
かかる構成によれば、第１〜第４の支持部材を平面視でＭ字状（Ｗ字状）に配設することで、ピン構造物の重心位置や重心位置の周りを好適に支持することができる。また、第１〜第４の支持部材を平面視で、矩形、菱形、台形、平行四辺形等の種々の四角形に配設することで、重心位置の周りを四方から囲むようにした広い領域で安定して支持することができる。
【００１９】
請求項４に係る発明は、請求項１に記載のピン構造物の支持構造であって、前記第１の支持部材および前記第２の支持部材の一方の側端面に連結され前記ベース部材を上端面に載置して支持する板状をなした第３の支持部材と、前記第１の支持部材、前記第２の支持部材、および第３の支持部材が放射状に連結された側端面連結部に形成された曲折部と、を有し、前記第３の支持部材が前記多数のピンの間に挿入して配設されていること、を特徴とする。
【００２０】
かかる構成によれば、前記第１の支持部材、前記第２の支持部材、および第３の支持部材を放射状に連結したことで、多数のピンが列にならずに不規則に配設されている場合や放射状に配設されている場合に好適に支持することができる。
【００２１】
請求項５に係る発明は、請求項１から請求項４のいずれか１項に記載のピン構造物の支持構造であって、前記ピン構造物は、金型に使用され、前記ピンは、当該金型からワークを突き出すエジェクタピンであること、を特徴とする。
【００２２】
本発明は、鋳造金型、ダイキャスト金型、樹脂成形金型、およびプレス金型のエジェクタピン構造物に好適に適用することができる。
【００２３】
請求項６に係る発明は、請求項１から請求項５のいずれか１項に記載のピン構造物の支持構造であって、前記ピン構造物は、前記ベース部材と前記支持部材の間に配設された可撓性部材からなる緩衝部材、または当該ベース部材および支持部材よりも摩擦係数が高いずれ防止部材を介在して載置されていること、を特徴とする。
【００２４】
かかる構成によれば、緩衝部材により載置時の衝撃を緩和して損傷を防止したり、ずれ防止部材によりピン構造物がずれて転倒したりすることを効果的に抑制することができる。
【００２５】
請求項７に係る発明は、ベース部材と、このベース部材から立設された多数のピンと、を有するピン構造物を載置台で支持するピン構造物の支持方法であって、前記載置台は、前記ベース部材が上になるように前記ピンの先端を下に向けて当該ピンが床から離れた状態で当該ベース部材を載置して支持し、前記ベース部材を上端面に載置して支持する板状をなした第１の支持部材と、この第１の支持部材の側端面に一方の側端面が連結され前記ベース部材を上端面に載置して支持する板状をなした第２の支持部材と、前記第１の支持部材と前記第２の支持部材との側端面連結部に形成され、前記隣接する支持部材同士が交差する角度を自在に調整可能な曲折部と、を有し、前記第１の支持部材と前記第２の支持部材が前記多数のピンの間に挿入して配設され、かつ当該第１の支持部材および当該第２の支持部材の少なくとも一方が前記ピンの外周部に接していること、を特徴とする。
【００２６】
かかる構成によれば、支持部材がピンの外周部に接した状態で支持することで、作業者が不用意に支持部材やピン構造物に衝突してしまった場合でも、支持部材とピン構造物がずれて移動することを抑制することができるため、支持部材の倒れやピン構造物の転倒をより効果的に回避することができる。
【発明の効果】
【００２７】
本発明に係るピン構造物の支持構造、および支持方法は、多数のピンが不規則に配設されたピン構造体のピンが下を向いた状態で多数のピンの間を通過して第１の支持部材と第２の支持部材を好適な位置に挿入することができ、しかも載置台の位置ずれや倒れを抑制してピンの損傷を防止するとともに、第１の支持部材と第２の支持部材が区画する広い支持領域を確保して安定して支持することができる。
【図面の簡単な説明】
【００２８】
【図１】本発明の実施形態に係るピン構造物の支持構造を示す斜視図であり、（ａ）はピン構造物、（ｂ）はピン構造物を載置する載置台を示す。
【図２】本発明の実施形態に係るピン構造物の支持構造を示す斜視図であり、（ａ）はピン構造物を載置台で支持した状態、（ｂ）は載置台を収納する状態を示す。
【図３】本発明の実施形態に係るピン構造物の支持構造における載置台の形状を説明するための平面図であり、（ａ）は図２（ａ）の平面図、（ｂ）から（ｄ）は本発明の他の実施例を示し、（ｂ）は放射状、（ｃ）は矩形状、（ｄ）はＬ字状と逆Ｌ字状を組み合わせて載置台を構成した例を示す。
【発明を実施するための形態】
【００２９】
本発明の実施形態に係るピン構造物の支持構造１Ａについて、主として図１、図２、および図３（ａ）を参照しながら詳細に説明する。なお、参照する図１と図２では、説明の便宜上、ピンの配置や本数、およびベース部材や載置台の構成を簡略化して模式的に示すものとする。また、図３では、載置台の形状を示すため支持部材を実線で表示し、曲折部に配設されたヒンジは簡略化して円形で表示したものである。
【００３０】
本発明の実施形態に係るピン構造物の支持構造１Ａは、図２（ａ）に示すように、ベース部材２１と、このベース部材２１から先端が下を向くように立設された多数のピン２２と、を有するピン構造物２（図１（ａ）参照）を載置台３（図１（ｂ）参照）で支持するようにしたものである。
そして、載置台３は、多数のピン２２の間に挿入して配設され（図３（ａ）参照）、ベース部材２１を載置してピン２２が床（不図示）から離れた状態でピン構造物２を支持している。
【００３１】
このとき、図３（ａ）に示すように、多数のピン２２に支持部材３１〜３４が接しないように配設してもよいが、幾本かのピン２２の外周部である本体部２２ｂに支持部材３１〜３４の少なくとも一部が接するように下ろす位置を調整したり、支持部材３１〜３４のうちどれかを適宜ずらしたりして調整してもよい。
例えば、本実施形態においては、支持部材３１にピン２２ａ，２２ｂが接し、支持部材３４にピン２２ｃ，２２ｄが接した状態でピン構造物２を載置台３に載置している。
【００３２】
かかる構成によれば、支持部材３１，３４がピン２２ａ，２２ｂ，２２ｃ，２２ｄの外周部（本体部２２ｂ）に接した状態で支持することで、作業者等が不用意に支持部材３１〜３４やピン構造物２に衝突してしまった場合でも、支持部材３１〜３４とピン構造物２がずれて移動することを抑制することができるため、支持部材３１〜３４の倒れやピン構造物２の転倒をより効果的に回避することができる。
【００３３】
ピン構造物２は、図１（ａ）に示すように、一般的に、鋳造金型、ダイキャスト金型、樹脂成形金型、プレス金型等の種々の金型（不図示）の固定型（ダイベース側）に使用されている。ベース部材２１（エジェクタプレート）は、矩形の平板状をなした部材であり、ピン２２のフランジ部２２ａが嵌入される座ぐり穴２１ａと、吊りフック（不図示）を掛けるアイボルト（不図示）をねじ込むためのねじ穴２１ｂと、を備えている。
【００３４】
なお、ピン構造物２は、金型に組み込まれた状態では、金型の種類や成形品を突き出す方向によりピン２２の先端が上を向くように配設される場合や横を向くように配設される場合等種々の態様があるが、特に、使用状態や金型の種類、その他、用途等には限定されるものではないので詳細な説明は省略する。
【００３５】
ピン２２は、金型（不図示）から成形品であるワーク（不図示）を離型して搬出するいわゆるエジェクタピンであり、抜け止めとなるフランジ部２２ａと、外周部である小径の本体部２２ｂと、を備えている。ピン２２は、ベース部材２１の座ぐり穴２１ａにフランジ部２２ａが埋没するようにして、ベース部材２１に対して垂直に固定されている。
ピン２２は、成形品（不図示）の形状に対応させてベース部材２１に多数が配設され、例えば１製品当たり５本のピン２２が必要であれば、１ショットで製品を３個成形する３個取りの金型では１５本のピン２２が配設される。
【００３６】
載置台３は、図１（ｂ）に示すように、第１の支持部材３１と、この第１の支持部材３１に第１のヒンジ４１（図３（ａ）参照）を介して側端面連結部で連結された第２の支持部材３２と、この第２の支持部材３２に第２のヒンジ４２を介して側端面連結部で連結された第３の支持部材３３と、この第３の支持部材３３に第３のヒンジ４３を介して側端面連結部で連結された第４の支持部材３４と、を備えている。
【００３７】
つまり、第１の支持部材３１と第２の支持部材３２との連結部が側端面連結部であり、この側端面連結部にヒンジ４（４１）を設けて曲折部が構成されている。第２の支持部材３２と第３の支持部材３３との関係、第３の支持部材３３と第４の支持部材３４との関係についても同様である。
【００３８】
なお、本実施形態においては、多様な種々のピン構造物２に柔軟に適用するため、曲折部にヒンジ４を設けて自在に角度を調整できるようにしたが、これに限定されるものではなく、予め設定した角度に第１の支持部材３１、第２の支持部材３２、第３の支持部材３３、および第４の支持部材３４をボルト締め、溶接または接着等の締結手段により一体に連結してもよい。
【００３９】
第１の支持部材３１、第２の支持部材３２、第３の支持部材３３、および第４の支持部材３４（支持部材３１〜３４）は、同じ形状および同じサイズの平板状の部材であり、ピン構造物２を安定して支持できる剛性を有する鉄系やアルミ合金系、または合成樹脂系の種々の部材を採用することができる。また、必要に応じて重量軽減の抜き穴（不図示）や板厚を薄くして補強のリブ（不図示）等を設けることもでき、ピン２２との干渉を回避できれば特に構成が限定されるものではないので、詳細な説明は省略する。
【００４０】
なお、本実施形態においては、支持部材３１〜３４を同じ形状としたが、これに限定されるものではなく、ピン構造物２の形状に適合するように長さや幅を適宜設定することができる。
【００４１】
第１の支持部材３１、第２の支持部材３２、第３の支持部材３３、および第４の支持部材３４は、平面視でＭ字状をなして配設され（図３（ａ）参照）、それぞれの上端面３１ａ，３２ａ，３３ａ，３４ａにピン構造物２のベース部材２１を載置して支持できるようにヒンジ４（４１，４２，４３）で連結されている（図３（ａ）参照）。
【００４２】
具体的には、図１（ｂ）に示すように、第１の支持部材３１の一方の側端面３１ｂは、位置を自由に設定できる拘束されない開放端である。第１の支持部材３１の他方の側端面３１ｃと第２の支持部材３２の一方の側端面３２ｂは第１のヒンジ４１（図３（ａ）参照）を介して自在に角度を調整できるように連結されている。
【００４３】
第２の支持部材３２の他方の側端面３２ｃと第３の支持部材３３の一方の側端面３３ｂは第２のヒンジ４２を介して自在に角度を調整できるように連結されている。第３の支持部材３３の他方の側端面３３ｃと第４の支持部材３４の一方の側端面３４ｂは第３のヒンジ４３を介して自在に角度を調整できるように連結されている。第４の支持部材３４の他方の側端面３４ｃは、位置を自由に設定できる拘束されない開放端である。
【００４４】
第１のヒンジ４１、第２のヒンジ４２、および第３のヒンジ４３は、同じ構成のヒンジ部材であり、隣接する支持部材３１〜３４がそれぞれ交差する角度を０〜１８０度まで調整することができるようになっている。
具体的には、第１のヒンジは、図３（ａ）に示すように、第１の支持部材３１と第２の支持部材３２が平面視において交差する角度θ１を自在に調整し、第２のヒンジ４２は、第２の支持部材３２と第３の支持部材３３が平面視において交差する角度θ２を自在に調整し、第３のヒンジ４３は、第３の支持部材３３と第４の支持部材３４が平面視において交差する角度θ３を自在に調整することができる。
【００４５】
かかる構成により、隣接する支持部材３１〜３４がそれぞれ交差する角度を０〜１８０度まで調整することで、支持部材３１〜３４をジグザグ形状や階段形状等の種々の形状に広げて配設することができるため、載置台３を種々の多様なピン構造物２に柔軟に適用することができる。
また、Ｍ字形状等の他、ヒンジ４の取り付け位置を適宜調整して支持部材３１〜３４を平面視で、矩形、菱形、台形、平行四辺形等の種々の四角形に配設することで、重心位置の周りを四方から囲むようにした広い領域で安定して支持することができる。
【００４６】
なお、本実施形態においては、交差する角度を０〜１８０度まで調整するヒンジ４を採用したが、これに限定されるものではなく、いわゆる２軸ヒンジ（不図示）を採用して０〜３６０度まで回転できるようにしてもよい。
【００４７】
以上のように構成されたピン構造物の支持構造１Ａの動作について、主として、図２（ａ）と図３（ａ）を参照しながら説明する。
本発明の実施形態に係るピン構造物の支持構造１Ａは、図２（ａ）と図３（ａ）に示すように、載置台３を構成する第１の支持部材３１、第２の支持部材３２、第３の支持部材３３、および第４の支持部材３４が平面視で予め設定されたＭ字状をなすように広げてピン構造物２を支持する。
【００４８】
具体的には、作業者（不図示）は、載置台３を構成する第１の支持部材３１、第２の支持部材３２、第３の支持部材３３、および第４の支持部材３４を平面視で予め設定されたＭ字状をなすように床面に配設する。
載置台３の形状は、載置するピン構造物２に適合するように予め設定され、型板やスケール等で広げる形状を再現できるように準備されている。そして、作業者は、型板やスケール等に合わせて載置台３を床面に配設する。
【００４９】
そして、作業者は、後述のねじ穴２１ｂにねじ込まれたアイボルト（不図示）に吊りフック（不図示）を掛けてホイスト（不図示）でピン構造物２を吊り上げ、載置台３の上方から静かに下ろして載置台３に載置して支持する。
このとき、作業者は、多数のピン２２の先端が載置台３の上端面３１ａ〜３４ａに干渉しないように、ベース部材２１が載置台３の上端面３１ａ〜３４ａに接するまでホイストで徐々に下ろすが、ずれを防止してより安定して支持するために、支持部材３１にピン２２ａ，２２ｂが接し、支持部材３４にピン２２ｃ，２２ｄが接した状態でピン構造物２を載置台３に載置する。
【００５０】
一方、本発明の実施形態に係るピン構造物の支持構造１Ａは、図２（ｂ）に示すように、ピン構造物２を金型で使用しており載置台３を使用しない場合には、載置台３をヒンジ４で折り畳んで設備Ｓと設備Ｓの間に挿入して収納する。
【００５１】
本発明の実施形態に係るピン構造物の支持構造１Ａは、以下のような作用効果を奏する。すなわち、曲折部にヒンジ４を備えたことで、多数のピン２２が不規則に配設されたピン構造物２に合わせて、支持部材３１〜３４を多数のピン２２の間に干渉しないようにＭ字状に広げてピン構造物２を支持することができるため、支持領域を広く確保して安定して支持することができる。
また、支持部材３１〜３４を多数のピン２２の間に挿入することで、ピン２２がストッパになって支持部材３１〜３４が移動して閉じたり、倒れたりしないため、支持部材３１〜３４を広げた状態を安定して維持することができる。
【００５２】
一方、本発明の実施形態に係るピン構造物の支持構造１Ａは、ピン構造物２を支持しないときにはヒンジ４で折り畳んで設備Ｓと設備Ｓの間に収納し、ピン構造物２を支持するときにのみ広げて使用することができるため、収納スペースの削減に好適に寄与する。
【００５３】
続いて、載置台の形状における他の実施例について、図３（ｂ）から（ｄ）を参照しながら説明する。前記した実施形態に係るピン構造物の支持構造１Ａでは、支持部材３１〜３４がＭ字状をなすようにしたが、これに限定されるものではなく、ピン構造物２の形状に適合するように種々の形態を採用することができる。
なお、以下の説明において、前記した実施形態と同様の構成については、同じ符号を付して重複する説明を省略する。
【００５４】
図３（ｂ）に示すように、他の実施例に係るピン構造物２Ｂの支持構造１Ｂは、ヒンジ４Ｂの回りに回動自在に配設された３枚の支持部材３１Ｂ，３２Ｂ，３３Ｂを１２０度の等配で放射状に広げて支持するものである。
【００５５】
かかる構成により、ピン構造物２Ｂの支持構造１Ｂは、多数のピン２２Ｂが列にならずに不規則に配設されている場合や放射状に配設されている場合に好適に支持することができる。
【００５６】
他の実施例に係るピン構造物２Ｃの支持構造１Ｃは、図３（ｃ）に示すように、ヒンジ４１Ｃ〜４３Ｃを介して多数のピン２２Ｃを四方から矩形形状に配設した支持部材３１Ｃ〜３４Ｃで覆うように配設して支持するものである。
【００５７】
かかる構成により、ピン構造物２Ｃの支持構造１Ｃは、多数のピン２２Ｃを四方から支持部材３１Ｃ〜３４Ｃで覆うように配設したことで、多数のピン２２Ｃを保護しながら広い支持領域で安定して支持することができる。また、支持部材３１Ｃ〜３４Ｃを矩形形状に配設することで、例えば、エンジンのカムシャフトのような棒状の成形品の多数個取りの金型のように複数の列をなして多数のピン２２Ｃが配設されたピン構造物２Ｃの場合に好適に採用することができる。
【００５８】
他の実施例に係るピン構造物２Ｄの支持構造１Ｄは、図３（ｄ）に示すように、ヒンジ４１Ｄを介してＬ字形に形成した支持部材３１Ｄ，３２Ｄと、ヒンジ４２Ｄを介して逆Ｌ字型に形成した支持部材３３Ｄ，３４Ｄと、を対角に対峙するように矩形形状に配設して多数のピン２２Ｃを四方から支持部材３１Ｄ〜３４Ｄで覆うようにして支持するものである。
【００５９】
かかる構成により、ピン構造物２Ｄの支持構造１Ｄは、Ｌ字形に形成した支持部材３１Ｄ，３２Ｄと、逆Ｌ字型に形成した支持部材３３Ｄ，３４Ｄと、を対角に対峙するように矩形形状に配設することで、種々の形状の矩形形状を好適に形成することができる。
【００６０】
以上、本発明の実施形態について説明したが、本発明は前記した実施形態に限定されず、適宜変更して実施することが可能である。例えば、本実施形態においては、ピン構造物の支持構造１Ａにおいて、支持部材３１〜３４の上端面３１ａ〜３４ａで直接ピン構造物２を支持するようにしたが、これに限定されるものではなく、上端面３１ａ〜３４ａとベース部材２１との間にゴム部材や合成樹脂等の可撓性部材からなる緩衝材や摩擦係数の高いゴム部材等からなるずれ防止部材等の別部材を介在して、支持部材３１〜３４にピン構造物２を載置して支持してもよい。かかる構成により、緩衝材を介在することで、載置時の衝撃を緩和して損傷を防止したり、ゴム部材を介在させることで摩擦力を向上させてピン構造物２がずれて転倒したりすることを効果的に抑制することができる。
【００６１】
また、本実施形態においては、ピン構造物の支持構造１Ａにおいて、４枚の支持部材３１〜３４でピン構造物２を支持するようにしたが、これに限定されるものではなく、ピン構造物２の形状に応じて適宜３枚の支持部材でもよいし、５枚以上の支持部材を用いることもできる。
【符号の説明】
【００６２】
１Ａ，１Ｂ，１Ｃ，１Ｄ    ピン構造物の支持構造
２      ピン構造物
２Ｂ，２Ｃ，２Ｄ    ピン構造物
３      載置台
４，４Ｂ      ヒンジ
２１    ベース部材
２２    ピン（エジェクタピン）
２２ａ  フランジ部
２２ｂ  本体部（外周部）
２２Ｂ，２２Ｃ，２２Ｄ    ピン（エジェクタピン）
３１    第１の支持部材
３１Ｂ，３２Ｂ，３３Ｂ  支持部材
３１Ｃ，３２Ｃ，３３Ｃ，３４Ｃ  支持部材
３１Ｄ，３２Ｄ，３３Ｄ，３４Ｄ  支持部材
３１ａ，３２ａ，３３ａ，３４ａ  上端面
３１ｂ，３２ｂ，３３ｂ，３４ｂ  側端面
３２    第２の支持部材
３３    第３の支持部材
３４    第４の支持部材
４１，４２，４３    ヒンジ
４１Ｃ，４２Ｃ，４３Ｃ  ヒンジ
４１Ｄ，４２Ｄ  ヒンジ
【図１】
0005647296.tif 000002
【図２】
0005647296.tif 000003
【図３】
0005647296.tif 000004